(57)【要約】【課題】表示制御装置におけるシンボル画像が指定されたタイミングと、元の画像の表示が完了するタイミングとの間のタイムラグに起因して発生する違和感を低減することを目的とする。【解決手段】携帯端末２１は、所定の表示領域に表示中の元画像に対応するシンボル画像である指定シンボル画像以外のシンボル画像について、表示パネル２２における指定シンボル画像との位置関係によって規定される優先度が高い順に、各シンボル画像に対応する画像を低解像度化した画像である低解像度画像を生成し、シンボル画像が指定された場合、低解像度画像を所定の表示領域に表示すると共に、対応する元画像の表示の準備を開始し、元画像の表示の準備が完了した後に所定の表示領域における表示を低解像度画像から元画像へと切り替える。【選択図】図２
2013200340.tif 000002
【特許請求の範囲】
【請求項１】
複数のシンボル画像が表示される表示パネルを備え、前記複数のシンボル画像の中から指定された指定シンボル画像の元となった画像である元画像を所定の表示領域に表示する表示制御装置であって、
前記指定シンボル画像以外の前記シンボル画像について、前記表示パネルにおける前記指定シンボル画像との位置関係によって規定される優先度が高い順に、各前記シンボル画像に対応する前記元画像を低解像度化した画像である低解像度画像を生成し、
前記低解像度画像を生成した前記シンボル画像が指定された場合、生成した前記低解像度画像を前記所定の表示領域に表示すると共に、対応する前記元画像の表示の準備を開始し、前記元画像の表示の準備が完了した後に前記所定の表示領域における表示を前記低解像度画像から前記元画像へと切り替える表示制御手段を備えることを特徴とする表示制御装置。
【請求項２】
前記表示パネルに、前記所定の表示領域としてのメイン領域と、前記シンボル画像が表示されるサブ領域とが形成され、
前記表示制御手段は、
前記メイン領域に表示中の前記元画像に対応する前記指定シンボル画像以外の前記シンボル画像について、前記サブ領域における前記指定シンボル画像との位置関係によって規定される優先度が高い順に、前記低解像度画像を生成し、前記低解像度画像を生成した前記シンボル画像が指定された場合、生成した前記低解像度画像を前記メイン領域に表示すると共に、対応する前記元画像の表示の準備を開始し、前記元画像の表示の準備が完了した後に前記メイン領域における表示を前記低解像度画像から前記元画像へと切り替えることを特徴とする請求項１に記載の表示制御装置。
【請求項３】
前記所定の表示領域としてのスクリーンに画像を投射するプロジェクターに接続され、
前記表示制御手段は、
前記スクリーンに表示中の前記元画像に対応する前記指定シンボル画像以外の前記シンボル画像について、前記表示パネルにおける前記指定シンボル画像との位置関係によって規定される優先度が高い順に、前記低解像度画像を生成し、前記低解像度画像を生成した前記シンボル画像が指定された場合、生成した前記低解像度画像を前記プロジェクターに出力して前記スクリーンに表示させると共に、対応する前記元画像の表示の準備を開始し、前記元画像の表示の準備が完了した後に前記元画像を前記プロジェクターに出力して前記スクリーンにおける表示を前記低解像度画像から前記元画像へと切り替えさせることを特徴とする請求項１に記載の表示制御装置。
【請求項４】
前記表示制御手段は、
前記表示パネルにおける前記シンボル画像の配置の態様に変更があった場合、前記指定シンボル画像以外の前記シンボル画像について、配置が変更された後における前記指定シンボル画像との位置関係によって規定される優先度が高い順に、前記低解像度画像を生成することを特徴とする請求項１ないし３のいずれかに記載の表示制御装置。
【請求項５】
前記シンボル画像は、サムネイル画像であり、
１の前記シンボル画像に係る前記低解像度画像の解像度は、当該１の前記シンボル画像の解像度よりも高く、当該１の前記シンボル画像に対応する前記元画像よりも低いことを特徴とする請求項１ないし４のいずれかに記載の表示制御装置。
【請求項６】
複数のシンボル画像が表示される表示パネルを備え、前記複数のシンボル画像の中から指定された指定シンボル画像の元となった画像である元画像を所定の表示領域に表示する表示制御装置を制御する制御部により実行されるプログラムであって、
前記制御部を、
前記指定シンボル画像以外の前記シンボル画像について、前記表示パネルにおける前記指定シンボル画像との位置関係によって規定される優先度が高い順に、各前記シンボル画像に対応する前記元画像を低解像度化した画像である低解像度画像を生成し、
前記低解像度画像を生成した前記シンボル画像が指定された場合、生成した前記低解像度画像を前記所定の表示領域に表示すると共に、対応する前記元画像の表示の準備を開始し、前記元画像の表示の準備が完了した後に前記所定の表示領域における表示を前記低解像度画像から前記元画像へと切り替える表示制御手段として機能させることを特徴とするプログラム。
【発明の詳細な説明】
【技術分野】
【０００１】
本発明は、表示に関する制御を行う表示制御装置、及び、当該表示制御装置を制御するためのプログラムに関する。
【背景技術】
【０００２】
従来、タッチパネル上に複数のシンボル画像（サムネイル画像）を表示し、シンボル画像が選択された場合、シンボル画像の元となった画像を表示する表示制御装置（電子機器）が知られている（例えば、特許文献１参照）。
一般に、この種の表示制御装置では、タッチパネル上に表示されたシンボル画像が指定された場合、元の画像の画像データについて、所定のバッファーに展開できるように必要な画像処理を施した上で当該バッファーに展開し、当該バッファーに展開した画像データに基づいて表示用の各種駆動回路を駆動して、当該元の画像の表示を行う。
【先行技術文献】
【特許文献】
【０００３】
【特許文献１】特開２０１１−２１０１３８号公報
【発明の概要】
【発明が解決しようとする課題】
【０００４】
ここで、上述した表示制御装置のように、シンボル画像の指定をトリガーとして元の画像を表示するものでは、元の画像を表示する際に上述した表示のための各種処理を行うことに起因して、シンボル画像が指定されたタイミングと、元の画像の表示が完了するタイミングとの間にタイムラグが生じ、ユーザーが違和感を抱いてしまう可能性があった。そして、この違和感を低減できれば、顧客満足度の向上につながる。
本発明は、上述した事情に鑑みてなされたものであり、シンボル画像が指定されたタイミングと、元の画像の表示が完了するタイミングとの間のタイムラグに起因して発生する違和感を低減することを目的とする。
【課題を解決するための手段】
【０００５】
上記目的を達成するために、本発明は、複数のシンボル画像が表示される表示パネルを備え、前記複数のシンボル画像の中から指定された指定シンボル画像の元となった画像である元画像を所定の表示領域に表示する表示制御装置であって、前記指定シンボル画像以外の前記シンボル画像について、前記表示パネルにおける前記指定シンボル画像との位置関係によって規定される優先度が高い順に、各前記シンボル画像に対応する前記元画像を低解像度化した画像である低解像度画像を生成し、前記低解像度画像を生成した前記シンボル画像が指定された場合、生成した前記低解像度画像を前記所定の表示領域に表示すると共に、対応する前記元画像の表示の準備を開始し、前記元画像の表示の準備が完了した後に前記所定の表示領域における表示を前記低解像度画像から前記元画像へと切り替える表示制御手段を備えることを特徴とする。
この構成によれば、表示制御手段は、指定シンボル画像が指定されている場合に、当該指定シンボル画像以外のシンボル画像について、低解像度画像を生成し、低解像度画像を生成したシンボル画像が指定された場合には、低解像度画像を表示すると共に、元画像の表示の準備を行い、当該準備が完了した時点で、表示を低解像度画像から元画像へと切り替える。このため、シンボル画像が指定された場合、当該シンボル画像に対応する低解像度画像がすぐさま表示され、さらに低解像度画像から元画像へと段階的に表示が切り替わることとなり、当該シンボル画像の指定後に指定前の画像がしばらくの間表示され続けたり、また、不完全な画像が表示されたりすることに起因した違和感を低減できる。
特に、上記構成では、表示パネルにおける指定シンボル画像との位置関係によって規定される優先度が高い順に、各シンボル画像に対応する低解像度画像を生成する。ここで、ユーザーは、複数のシンボル画像を連続して指定していく場合、無作為に指定するのではなく、位置的な関連性の高いものから順次指示する傾向があり、１のシンボル画像が指定されている場合、当該１のシンボル画像から位置的な関連性が低いものよりも、位置的な関連性が高いものの方が、ユーザーが次に選択する可能性が高いと言える。そして、上記構成によれば、表示制御手段は、指定シンボル画像以外のシンボル画像について、表示パネルにおける指定シンボル画像との位置関係によって規定される優先度が高い順に、各シンボル画像に対応する低解像度画像を生成するため、低解像度画像を記憶するメモリーの容量が有限であること、及び、ＣＰＵの処理能力が有限であることを踏まえて、効率的、かつ、効果的に低解像度画像を生成可能である。
【０００６】
また、本発明は、前記表示パネルに、前記所定の表示領域としてのメイン領域と、前記シンボル画像が表示されるサブ領域とが形成され、前記表示制御手段は、前記メイン領域に表示中の前記元画像に対応する前記指定シンボル画像以外の前記シンボル画像について、前記サブ領域における前記指定シンボル画像との位置関係によって規定される優先度が高い順に、前記低解像度画像を生成し、前記低解像度画像を生成した前記シンボル画像が指定された場合、生成した前記低解像度画像を前記メイン領域に表示すると共に、対応する前記元画像の表示の準備を開始し、前記元画像の表示の準備が完了した後に前記メイン領域における表示を前記低解像度画像から前記元画像へと切り替えることを特徴とする。
ここで、同一表示パネル上に、元画像を表示するメイン領域と、シンボル画像を表示するサブ領域とを形成し、ユーザーによるサブ領域におけるシンボル画像の指定に応じて、メイン領域の表示を切り替えるユーザーインターフェイスが広く普及している実態がある。そして、上記構成によれば、このような広く普及したユーザーインターフェイスにおいて、サブ領域におけるシンボル画像が指定された場合、メイン領域において、当該シンボル画像に対応する低解像度画像が表示され、さらに低解像度画像から元画像へと段階的に表示が切り替わることとなり、当該シンボル画像の指定後に指定前の画像がメイン領域にしばらくの間表示され続けたり、また、メイン領域に不完全な画像が表示されたりすることに起因した違和感を低減できる。
【０００７】
また、本発明は、前記所定の表示領域としてのスクリーンに画像を投射するプロジェクターに接続され、前記表示制御手段は、前記スクリーンに表示中の前記元画像に対応する前記指定シンボル画像以外の前記シンボル画像について、前記表示パネルにおける前記指定シンボル画像との位置関係によって規定される優先度が高い順に、前記低解像度画像を生成し、前記低解像度画像を生成した前記シンボル画像が指定された場合、生成した前記低解像度画像を前記プロジェクターに出力して前記スクリーンに表示させると共に、対応する前記元画像の表示の準備を開始し、前記元画像の表示の準備が完了した後に前記元画像を前記プロジェクターに出力して前記スクリーンにおける表示を前記低解像度画像から前記元画像へと切り替えさせることを特徴とする。
この構成によれば、表示制御装置におけるユーザーによるシンボル画像の指定に応じて、プロジェクターによってスクリーンに表示された元画像を切り替えることが可能に構成されたシステムにおいて、以下の効果を奏することが可能である。すなわち、表示パネルにおけるシンボル画像が指定された場合、スクリーンにおいて、当該シンボル画像に対応する低解像度画像が表示され、さらに低解像度画像から元画像へと段階的に表示が切り替わることとなり、当該シンボル画像の指定後に指定前の画像がスクリーンにしばらくの間表示され続けたり、また、スクリーンに不完全な画像が表示されたりすることに起因した違和感を低減できる。
【０００８】
また、本発明は、前記表示制御手段は、前記表示パネルにおける前記シンボル画像の配置の態様に変更があった場合、前記指定シンボル画像以外の前記シンボル画像について、配置が変更された後における前記指定シンボル画像との位置関係によって規定される優先度が高い順に、前記低解像度画像を生成することを特徴とする。
ここで、表示パネルにおけるシンボル画像の配置の態様は、例えば、各シンボル画像に付された名称や、各シンボル画像に対応する元画像のサイズ等に応じて、任意に変更できるようになっている場合がある。そして、シンボル画像の配置の態様が変更された場合であっても、ユーザーは、複数のシンボル画像を連続して指定していく場合、無作為に指定するのではなく、位置的な関連性の高いものから順次指示する傾向がある。以上を踏まえ、上記構成では、表示制御手段は、表示パネルにおけるシンボル画像の配置の態様に変更があった場合、指定シンボル画像以外のシンボル画像について、配置が変更された後における指定シンボル画像との位置関係によって規定される優先度が高い順に、低解像度画像を生成するため、低解像度画像を記憶するメモリーの容量が有限であること、及び、ＣＰＵの処理能力が有限であることを踏まえて、効率的、かつ、効果的に低解像度画像を生成可能である。
【０００９】
また、本発明は、前記シンボル画像は、サムネイル画像であり、１の前記シンボル画像に係る前記低解像度画像の解像度は、当該１の前記シンボル画像の解像度よりも高く、当該１の前記シンボル画像に対応する前記元画像よりも低いことを特徴とする。
この構成によれば、低解像度画像は、所定の表示領域に表示されるものであるため、一定の解像度を有している必要がある一方、処理効率、及び、メモリーの有効活用の観点からできるだけ解像度が小さい方が良いことを踏まえ、低解像度画像の解像度を適切な値とすることが可能である。
【００１０】
また、上記目的を達成するために、本発明は、複数のシンボル画像が表示される表示パネルを備え、前記複数のシンボル画像の中から指定された指定シンボル画像の元となった画像である元画像を所定の表示領域に表示する表示制御装置を制御する制御部により実行されるプログラムであって、前記制御部を、前記指定シンボル画像以外の前記シンボル画像について、前記表示パネルにおける前記指定シンボル画像との位置関係によって規定される優先度が高い順に、各前記シンボル画像に対応する前記元画像を低解像度化した画像である低解像度画像を生成し、前記低解像度画像を生成した前記シンボル画像が指定された場合、生成した前記低解像度画像を前記所定の表示領域に表示すると共に、対応する前記元画像の表示の準備を開始し、前記元画像の表示の準備が完了した後に前記所定の表示領域における表示を前記低解像度画像から前記元画像へと切り替える表示制御手段として機能させることを特徴とする。
このプログラムによれば、シンボル画像が指定された場合、当該シンボル画像に対応する低解像度画像がすぐさま表示され、さらに低解像度画像から元画像へと段階的に表示が切り替わることとなり、当該シンボル画像の指定後に指定前の画像がしばらくの間表示され続けたり、また、不完全な画像が表示されたりすることに起因した違和感を低減できる。特に、上記プログラムによれば、表示パネルにおける指定シンボル画像との位置関係によって規定される優先度が高い順に、各シンボル画像に対応する低解像度画像を生成する。ここで、ユーザーは、複数のシンボル画像を連続して指定していく場合、無作為に指定するのではなく、位置的な関連性の高いものから順次指示する傾向があり、１のシンボル画像が指定されている場合、当該１のシンボル画像から位置的な関連性が低いものよりも、位置的な関連性が高いものの方が、ユーザーが次に選択する可能性が高いと言える。そして、上記構成によれば、表示制御手段は、指定シンボル画像以外のシンボル画像について、表示パネルにおける指定シンボル画像との位置関係によって規定される優先度が高い順に、各シンボル画像に対応する低解像度画像を生成するため、低解像度画像を記憶するメモリーの容量が有限であること、及び、ＣＰＵの処理能力が有限であることを踏まえて、効率的、かつ、効果的に低解像度画像を生成可能である。
【発明の効果】
【００１１】
本発明によれば、ンボル画像が指定されたタイミングと、元の画像の表示が完了するタイミングとの間のタイムラグに起因して発生する違和感を低減できる。
【図面の簡単な説明】
【００１２】
【図１】本実施形態に係る表示システムの概略構成を示す図である。
【図２】携帯端末の機能的構成を示すブロック図である。
【図３】プロジェクターの機能的構成を示すブロック図である。
【図４】制御システムの各装置の動作を示すフローチャートである。
【図５】専用ユーザーインターフェイス、及び、スクリーンＳＣの状態を示す図である。
【図６】サブ領域におけるシンボル画像の並びの別例を示す図である。
【発明を実施するための形態】
【００１３】
以下、図面を参照して本発明の実施形態について説明する。
図１は、本実施形態に係るプロジェクター１１と、携帯端末２１（表示制御装置）とを備えて構成される表示システム１０の概略構成を示す図である。
この図１に示すように、プロジェクター１１は、スクリーンＳＣ（所定の表示領域）に対して画像を投射（表示）する装置である。プロジェクター１１が画像を投射するスクリーンＳＣはほぼ直立しており、スクリーン面は、例えば矩形形状である。プロジェクター１１は動画像をスクリーンＳＣに投射することも、静止画像をスクリーンＳＣに投射し続けることも可能である。
一方、携帯端末２１は、ユーザーが手に持って操作する小型の装置であり、例えば、スマートフォンと呼ばれる携帯電話や、タブレット端末、ＰＤＡ（Personal Digital Assistant）である。図１に示すように、携帯端末２１は、筐体の前面に表示画面としての表示パネル２２を有している。この表示パネル２２の表面は後述するタッチスクリーン２３となっており、表示パネル２２への接触操作を検出可能である。また、携帯端末２１は表示パネル２２に並べて配置されるスイッチ２４等の操作子を備えている。
プロジェクター１１と携帯端末２１は、無線通信方式によって各種データを送受信可能に接続されている。この無線通信方式は、例えば無線ＬＡＮ、Bluetooth（登録商標）、ＵＷＢ、赤外線通信等の近距離無線通信方式や、携帯電話回線を利用した無線通信方式を採用することができる。また、プロジェクター１１及び携帯端末２１が一対一で接続される形態に限定されず、他の複数の装置とともにプロジェクター１１及び携帯端末２１が通信可能に接続される形態であってもよい。
【００１４】
以下、実施形態の表示システム１０の構成を詳細に説明する。
図２は、携帯端末２１の機能的構成を示すブロック図である。
この図２に示すように、携帯端末２１は、携帯端末２１の各部を制御する制御部２１１を備えている。制御部２１１は、図示しないＣＰＵ、ＲＡＭ、ＲＯＭ等を備え、ＲＯＭに記憶した基本制御プログラムをＣＰＵにより実行して、携帯端末２１を制御する。制御部２１１は、表示制御部２１４（表示制御手段）を備えているが、この機能ブロックについては後述する。
この制御部２１１には各種データを書き換え可能に不揮発的に記憶する記憶部２７が接続されている。記憶部２７には、後述するアプリケーションプログラム２７Ａ（プログラム）が記憶可能である。
また、携帯端末２１は、上述のように表示パネル２２の表面全体における接触操作を検出するタッチスクリーン２３と、スイッチ２４を含む各種操作子からなるスイッチ部２５とを備えている。
タッチスクリーン２３は、表示パネル２２への接触操作を検出して、検出した操作位置を示す信号を操作検出部２１７に出力する。操作検出部２１７は、タッチスクリーン２３から入力された信号に基づいて操作位置の座標を示す制御データを生成し、制御部２１１に出力する。また、スイッチ部２５は、スイッチ２４を含む各操作子が操作された場合に操作信号を操作検出部２１７に出力する。操作検出部２１７は、スイッチ部２５から入力された操作信号に基づいて、操作された操作子に対応する制御データを生成して操作検出部２１７に出力する。制御部２１１は、操作検出部２１７から入力される制御データに基づいて、表示パネル２２に対する接触操作、スイッチ２４を含む各操作子の操作、及び、携帯端末２１の本体を動かす操作を検出できる。
【００１５】
制御部２１１には、表示パネル２２に各種画面を表示する表示部２１６が接続されている。表示部２１６は、制御部２１１の制御の下、所定のバッファーに、表示パネル２２に表示すべき画像の画像データを展開し、展開した画像データに基づいて、表示用の各種駆動回路を駆動して、表示パネル２２に当該画像を表示する。表示パネル２２は、透過型、反射型あるいは半透過型の液晶表示パネル、ＯＬＥＤ（Organic Light-emitting-diode）、ＯＥＬ（Organic Electro-Luminescence）等と呼ばれる有機ＥＬ表示パネル等からなるフラットパネルディスプレイである。透過型及び半透過型液晶パネルを用いる場合にはバックライトが付属される。
また、制御部２１１には、無線通信部２１５が接続されている。無線通信部２１５は、図示しないアンテナやＲＦ回路等を備え、制御部２１１の制御の下、プロジェクター１１との間で無線通信規格に準拠して通信する。
また、制御部２１１には、ネットワーク通信部２１８が接続されている。ネットワーク通信部２１８は、制御部２１１の制御の下、接続可能なＬＡＮや、通信事業者が提供する携帯電話の通信ネットワーク等を介してインターネット上の所定のサーバーにアクセスする。
【００１６】
図３は、プロジェクター１１の機能的構成を示すブロック図である。
プロジェクター１１は、大きく分けて光学的な画像の形成を行う投射部３と、プロジェクター１１全体の動作を制御し、画像信号を電気的に処理する画像処理系とからなる。投射部３は、照明光学系３１、光変調装置３２、及び、投射光学系３３から構成されている。照明光学系３１は、キセノンランプ、超高圧水銀ランプ、ＬＥＤ（Light Emitting Diode）、レーザー光源等の光源を備えている。また、照明光学系３１は、光源が発した光を光変調装置３２に導くリフレクター及び補助リフレクターを備えていてもよく、投射光の光学特性を高めるためのレンズ群（図示略）、偏光板、或いは光源が発した光の光量を光変調装置３２に至る経路上で低減させる調光素子等を備えたものであってもよい。
光変調装置３２は、後述する画像処理系からの信号を受けて、照明光学系３１が発した光を変調して画像光とする。光変調装置３２の具体的な構成としては、例えば、ＲＧＢの各色に対応した３枚の透過型または反射型の液晶ライトバルブを用いた方式が挙げられる。この場合、光変調装置３２には、照明光学系３１が発した光がダイクロイックミラー等によりＲ、Ｇ、Ｂの各色光に分離されて入射し、光変調装置３２が備える各色の液晶パネルによって各色光が変調され、その後、クロスダイクロイックプリズムにより各色光が合成されて、投射光学系３３に導かれる。光変調装置３２の液晶ライトバルブは、後述する光変調装置駆動部１１９によって駆動され、マトリクス状に配置された各画素における光の透過率を変化させることにより、画像を形成する。
投射光学系３３は、投射する画像の拡大・縮小及び焦点の調整を行うズームレンズ、ズームの度合いを調整するためのズーム調整用モーター、フォーカスの調整を行うフォーカス調整用モーター等を備えている。投射光学系３３は、光変調装置３２で変調された入射光を、ズームレンズを用いてスクリーンＳＣ上に投射し、結像させる。
投射部３には、制御部１０３の制御に従って投射光学系３３が備える各モーターを駆動する投射光学系駆動部１２１、及び、制御部１０３の制御に従って照明光学系３１が備える光源を駆動する光源駆動部１１７が接続されている。
【００１７】
画像処理系は、プロジェクター１１全体を統合的に制御する制御部１０３を中心に構成され、制御部１０３が処理するデータや制御部１０３が実行する制御プログラムを記憶した記憶部１０５、操作パネル４５及びリモコン受光部４１を介した操作を検出する入力処理部１２３、制御部１０３から入力される画像データを処理する画像処理部１１３、及び、画像処理部１１３から出力される画像信号に基づいて光変調装置３２を駆動して描画を行う光変調装置駆動部１１９を備えている。
制御部１０３は、図示しないＣＰＵや、ＲＡＭ、ＲＯＭ等を備え、ＲＯＭに記憶した基本制御プログラムをＣＰＵにより実行して、プロジェクター１１の各部を制御する。制御部１０３は、入力処理部１２３から入力される操作信号に基づいて、ユーザーが行った操作の内容を検出し、この操作に応じて画像処理部１１３、光変調装置駆動部１１９、投射光学系駆動部１２１及び光源駆動部１１７を制御して、投射部３によりスクリーンＳＣに画像を投射させる。
【００１８】
プロジェクター１１の本体には、ユーザーが操作を行うための各種スイッチ及びインジケーターランプを備えた操作パネル４５が配置されている。操作パネル４５は入力処理部１２３に接続されており、入力処理部１２３は、制御部１０３の制御に従い、プロジェクター１１の動作状態や設定状態に応じて操作パネル４５のインジケーターランプを適宜点灯或いは点滅させる。この操作パネル４５のスイッチが操作されると、操作されたスイッチに対応する操作信号が入力処理部１２３から制御部１０３に出力される。
また、プロジェクター１１は、ユーザーが使用するリモコン（図示略）を有する。リモコンは各種のボタンを備えており、これらのボタンの操作に対応して赤外線信号を送信する。プロジェクター１１の本体には、リモコンが発する赤外線信号を受光するリモコン受光部４１が配置されている。リモコン受光部４１は、リモコンから受光した赤外線信号をデコードして、リモコンにおける操作内容を示す操作信号を生成し、制御部１０３に出力する。
制御部１０３には、無線通信部４７が接続されている。無線通信部４７は、上述した無線通信方式で携帯端末２１との間でデータを送受信し、受信したデータを制御部１０３に出力する。制御部１０３は、例えば、無線通信部４７を介して、スクリーンＳＣに投射すべき画像の画像データを含む制御コマンドを取得し、取得した制御コマンドに含まれる画像データを画像処理部１１３に出力する。
画像処理部１１３は、制御部１０３から入力された画像データを、光変調装置３２の液晶パネルの仕様に適合した解像度のデータに変換する解像度変換処理等を実行し、光変調装置３２により表示する表示用画像をフレームメモリー１１５に展開し、展開した表示用画像を光変調装置駆動部１１９に出力する。光変調装置駆動部１１９は、画像処理部１１３から入力される表示用画像に基づいて、光変調装置３２を駆動する。これにより、制御部１０３の制御によって、光変調装置３２に画像が描画され、この画像が投射光学系３３を介して、スクリーンＳＣ上に投射画像として投射される。
【００１９】
さて、以上のような構成を有する表示システム１０について、本願発明が適用された場合の動作の一例を具体的に説明する。
本実施形態に係る表示システム１０は、携帯端末２１のユーザーが、携帯端末２１に記憶されている画像データに係る画像を、プロジェクター１１を介してスクリーンＳＣに投射できるようにすると共に、当該スクリーンＳＣへの投射にあたってユーザーの利便性を向上し、かつ、画像の見やすさを向上することを目的の１つとしている。
このことを踏まえ、以下では、携帯端末２１のＯＳの機能や、専用のアプリケーションの機能により、複数の写真のデジタルデータ（以下、「写真データ」という。）が、携帯端末２１の所定の記憶領域に記憶されており、ユーザーが、携帯端末２１に記憶された複数の写真データが表す画像（以下、「写真画像」という。）について、選択的にスクリーンＳＣに投射しようとしているものとする。
【００２０】
写真画像のスクリーンＳＣへの投射の前に、ユーザーによって以下の処理が行われる。
すなわち、ユーザーは、後述する表示制御部２１４の各機能が実装されたアプリケーションプログラム２７Ａを携帯端末２１にダウンロードする。当該ダウンロードは、ネットワーク通信部２１８によって既存のアプリケーションのダウンロードサービスを利用して行ってもよく、また、記録媒体の読取装置を接続した上で、当該アプリケーションプログラム２７Ａが記録された記録媒体を読み取ることによって行ってもよい。
携帯端末２１は、本来、プロジェクター１１を制御する専用の機能を有していない汎用機であるが、アプリケーションプログラム２７Ａをダウンロードすることにより、プロジェクター１１に携帯端末２１に記憶された写真データに係る写真画像をスクリーンＳＣに表示させる機能を実装可能である。周知の通り、携帯端末２１の一態様であるスマートフォンやタブレット端末が広く普及しており、これら機器に写真データ等の画像データを記憶しておくことも普通に行われているため、本実施形態によれば、各々のユーザーが、各々が所持するスマートフォンやタブレット端末に記憶された画像データに係る画像を、プロジェクター１１を利用してスクリーンＳＣに表示させることが可能となり、プロジェクター１１の利用態様を拡張することができる。これにより、プロジェクター１１を提供する主体（メーカー等）にとっては、プロジェクター１１の商品価値を高めることができ、また、携帯端末２１が汎用機であることの利点を生かして様々な機能を追加的に実装させることができる。
なお、制御部２１１は、上記のようにしてダウンロードしたアプリケーションプログラム２７Ａを読み出して実行することにより、表示制御部２１４として機能する。すなわち、以下説明する表示制御部２１４の機能は、ＣＰＵがプログラムを読み出して実行する等、ハードウェアとソフトウェアとの協働により実現される。
【００２１】
図４は、携帯端末２１に記憶された写真画像をスクリーンＳＣに投射する際の携帯端末２１、及び、プロジェクター１１の動作を示すフローチャートであり、（Ａ）は携帯端末２１の動作を、（Ｂ）はプロジェクター１１の動作をそれぞれ示している。
図４（Ａ）に示すように、まず、携帯端末２１の制御部２１１は、操作検出部２１７からの入力に基づいて、ユーザーによってタッチスクリーン２３やスイッチ部２５が操作されて、アプリケーションプログラム２７Ａの起動の指示が行われたか否かを監視する（ステップＳＡ１）。当該指示が行われた場合（ステップＳＡ１：ＹＥＳ）、表示制御部２１４は、表示部２１６を制御して、表示パネル２２上に、専用ユーザーインターフェイスＵＩ（図５）の初期画面を表示する（ステップＳＡ２）。
【００２２】
図５（Ａ）の（Ａ１）は、ステップＳＡ２で表示パネル２２に表示される専用ユーザーインターフェイスＵＩを模式的に示す図である。
図５（Ａ１）に示すように、専用ユーザーインターフェイスＵＩには、メイン領域Ａ１（所定の表示領域）と、サブ領域Ａ２とが形成されている。
図５（Ａ１）に示すように、ステップＳＡ２時点では、メイン領域Ａ１には画像が表示されない。
サブ領域Ａ２には、携帯端末２１に記憶された写真データのそれぞれに対応して、それぞれの写真データを象徴的に示すシンボル画像が一覧表示される。本実施形態では、シンボル画像は、各写真データに基づいて生成されるサムネイル画像である。このサブ領域Ａ２は、横方向にスクロール可能な構成であっても良い。
表示制御部２１４は、例えば、ＯＳの機能を利用して、携帯端末２１の所定の記憶領域に記憶されている写真データのそれぞれを取得し、アプリケーションプログラム２７Ａの機能により、各写真データに基づいて既存のデータ圧縮アルゴリズムを用いてサムネイル画像に係る画像データ（以下、「サムネイル画像データ」という）を生成する。そして、表示制御部２１４は、表示部２１６を制御して、生成したサムネイル画像データに基づいて、専用ユーザーインターフェイスＵＩ上のサブ領域Ａ２に、シンボル画像としてのサムネイル画像を所定の順番で並んで表示する。サブ領域Ａ２におけるシンボル画像の順番は、各写真データに付された名前順や、各写真データに紐付けられた日付順、各写真データのサイズ順等、ユーザーが任意に設定可能な構成となっている。
表示制御部２１４は、シンボル画像のそれぞれを、ユーザーによって指定可能な態様でサブ領域Ａ２に表示する。すなわち、ユーザーは、サブ領域Ａ２に一覧表示されたシンボル画像のうち、１のシンボル画像をタッチ操作することにより、当該１のシンボル画像を選択的に指定することができる。
図５（Ａ１）に示すように、本例では、サブ領域Ａ２には、シンボル画像Ｇ１〜Ｇ７の７つのシンボル画像が図中左から右へ向かって順番に並んで表示されている。そして、これらシンボル画像Ｇ１〜Ｇ７の元となった写真データ（元画像）は、写真データＳ１〜Ｓ７である。
図５（Ａ２）は、ステップＳＡ２時点でのスクリーンＳＣの状態を示している。後に明らかとなるとおり、本実施形態では、表示パネル２２におけるメイン領域Ａ１に表示される画像と、スクリーンＳＣに表示される画像との同一性が維持されるため、ステップＳＡ２時点では、スクリーンＳＣに画像が表示されない。
【００２３】
専用ユーザーインターフェイスＵＩの初期画面の表示後、表示制御部２１４は、サブ領域Ａ２のシンボル画像Ｇ１〜Ｇ７のうち、いずれかのシンボル画像が指定されたか否か監視する（ステップＳＡ３）。いずれかのシンボル画像が指定された場合（ステップＳＡ３：ＹＥＳ）、表示制御部２１４は、指定されたシンボル画像（以下、「指定シンボル画像」という）に対応する写真データが示す写真画像を、メイン領域Ａ１に表示する（ステップＳＡ４１）。
指定シンボル画像がシンボル画像Ｇ４であるものとして、ステップＳＡ４１の処理について詳述すると、まず、表示制御部２１４は、シンボル画像Ｇ４に対応する写真データＳ４を取得する。次いで、表示制御部２１４は、写真データＳ４に対して元画像用バッファー２１６Ａに展開するために必要な画像処理を施してイメージデータを生成し、表示部２１６を制御して、当該イメージデータを元画像用バッファー２１６Ａに展開する。元画像用バッファー２１６Ａとは、説明の便宜のため、メイン領域Ａ１に写真画像を表示する場合に、表示すべき写真画像の写真データが展開されるバッファーを概念的に表現したものであり、実態としては例えば、ＶＲＡＭに形成されたフレームバッファーにおけるメイン領域Ａ１に対応する領域である。次いで、表示制御部２１４は、表示部２１６を制御して、元画像用バッファー２１６Ａに展開されたイメージデータに基づいて、表示パネル２２に係る各種駆動回路を駆動して、メイン領域Ａ１に写真データＳ４に対応する写真画像を表示する。
【００２４】
上記ステップＳＡ４１の処理と並行して、表示制御部２１４は、プロジェクター１１に対して、指定シンボル画像に対応する写真データが示す写真画像を、スクリーンＳＣに表示することを指示し（ステップＳＡ４２）、当該指示に応じてプロジェクター１１は、スクリーンＳＣに写真画像を投射する（ステップＳＢ１）。
指定シンボル画像がシンボル画像Ｇ４であるものとして、ステップＳＡ４２、及び、ステップＳＢ１の処理について詳述すると、まず、表示制御部２１４は、シンボル画像Ｇ４に対応する写真データＳ４を取得する。次いで、表示制御部２１４は、プロジェクター１１のコマンド体系に準拠した制御コマンドであって、写真データＳ４を含み、この写真データＳ４に基づいてスクリーンＳＣに写真画像を投射することを指示する制御コマンドを生成する。次いで、表示制御部２１４は、無線通信部２１５を介して、生成した制御コマンドをプロジェクター１１に送信する。無線通信部４７を介して当該制御コマンドを受信した制御部１０３は、当該制御コマンドに含まれる写真データＳ４を抽出し、抽出した写真データＳ４を画像処理部１１３に出力すると共に、当該制御コマンドに基づいて、画像処理部１１３、光源駆動部１１７、光変調装置駆動部１１９、及び、投射光学系駆動部１２１を適切に制御して、上述した手法により、写真データＳ４に基づく写真画像をスクリーンＳＣに表示する。
【００２５】
図５（Ｂ）において、（Ｂ１）は、ステップＳＡ４１の処理後の専用ユーザーインターフェイスＵＩを示し、（Ｂ２）は、ステップＳＡ４２の処理後のスクリーンＳＣを示している。
図５（Ｂ１）に示すように、専用ユーザーインターフェイスＵＩのメイン領域Ａ１には、指定されたシンボル画像Ｇ４に対応する写真画像が表示される。また、図５（Ｂ２）に示すように、スクリーンＳＣには、指定されたシンボル画像Ｇ４に対応する写真画像が表示される。メイン領域Ａ１に表示された写真画像と、スクリーンＳＣに表示された写真画像とは、共に写真データＳ４に基づくものであり、同一性を有している。このように本実施形態では、サブ領域Ａ２のシンボル画像が指定された後にメイン領域Ａ１に表示される写真画像と、スクリーンＳＣに表示される写真画像との同一性が維持されるため、ユーザーは、携帯端末２１の表示パネル２２を視認するだけでスクリーンＳＣに実際に表示されている画像を把握でき、例えば、プレゼンテーション時にスクリーンＳＣに背を向けた状態で投射画像を切り替える場合や、ユーザーがスクリーンＳＣから比較的離れた場所におり、スクリーンＳＣに表示された画像を確認しづらい状況のときに、便利である。
【００２６】
さて、ステップＳＡ４１及びステップＳＡ４２の処理後、又は、ステップＳＡ４１及びステップＳＡ４２の処理と併せて、表示制御部２１４は、サブ領域Ａ２における指定シンボル画像以外のシンボル画像（本例では、シンボル画像Ｇ４を除くシンボル画像）について、優先度（後述）が高い順に、低解像度画像データ（後述）、及び、低解像度画像データに基づく低解像度画像（後述）のスクリーンＳＣへの表示を指示する制御コマンドを生成する（ステップＳＡ５）。以下、ステップＳＡ５の処理について詳述する。
まず、優先度について説明する。上述したように、本実施形態では、サブ領域Ａ２において、各シンボル画像は所定の順番で横並びに並んで表示されている。そして、サブ領域Ａ２における１のシンボル画像が指定された場合、ユーザーは、当該１のシンボル画像と位置的に遠いシンボル画像よりも、位置的に近いシンボル画像を、より高い確率で次に選択するものと考えられる。なぜなら、ユーザーは、複数のシンボル画像を連続して指定していく場合、無作為に指定するのではなく、位置的に近い（位置的な関連性の高い）ものから順次指示する傾向があり、また、シンボル画像が名前順や、日付順で並べられる場合があることを考慮すると、位置的に近い（位置的な関連性の高い）ものほど、その内容が関連している可能性が高いと言えるからである。そして、本実施形態における優先度とは、指定シンボル画像に近いシンボル画像ほど、その度合が高くなる指標のことである。図５（Ａ１）において指定シンボル画像がシンボル画像Ｇ４であるとすると、優先度は、シンボル画像Ｇ４に隣接するシンボル画像Ｇ３及びシンボル画像Ｇ５が最も高く、シンボル画像Ｇ４から離間したシンボル画像ほど、その度合が低くなる。アプリケーションプログラム２７Ａには、指定シンボル画像との位置関係を踏まえて、指定シンボル画像以外のシンボル画像について、適切なタイミングで随時優先度を算出する機能が実装されている。
【００２７】
ステップＳＡ５では、表示制御部２１４は、指定シンボル画像以外のシンボル画像について、上述した優先度の高い順に、各シンボル画像に対応する写真データに基づいて低解像度画像データを生成する。１のシンボル画像に対応する低解像度データとは、当該１のシンボル画像に対応するサムネイル画像データよりもその解像度が高く、当該１のシンボル画像に対応する写真データよりもその解像度が低い画像データである。低解像度画像データの解像度は、メイン領域Ａ１及びスクリーンＳＣに、低解像度画像データに基づく画像（以下、「低解像度画像」という）を表示したときに、ある程度の見やすさを確保できるという観点から許容できる範囲内で、低解像度画像データを生成するときの処理効率、及び、メモリーの有効活用のためにできるだけ小さい解像度とされる。アプリケーションプログラム２７Ａには、写真データに基づいて、予め定められた解像度の低解像度画像データを生成する機能が実装されている。なお、低解像度画像データは、低解像度画像用バッファー２１６Ｂ（後述）に展開するための所定の画像処理が施されている。
低解像度データの生成と併せて、表示制御部２１４は、プロジェクター１１に対して低解像度画像データに基づいて低解像度画像をスクリーンＳＣに表示させることを指示する制御コマンドを生成する。
ステップＳＡ５の処理について、例を挙げて説明する。図５（Ｂ１）を参照し、指定シンボル画像がシンボル画像Ｇ４であるとする。さらに、制御部２１１のＣＰＵの処理能力とワークエリアの容量の関係上、最大で同時に２つの写真データに基づいて低解像度画像データを生成する処理を実行可能であり、さらに、低解像度画像データを記憶可能な記憶領域の容量の関係上、低解像度画像データは最大で４つ同時に記憶可能であるものとする。この場合、表示制御部２１４は、まず、シンボル画像Ｇ４に隣接するシンボル画像Ｇ３、Ｇ５に最も高い優先度を付与し、さらに、シンボル画像Ｇ２、Ｇ６に次に高い優先度を付与する。次いで、表示制御部２１４は、最も優先度の高いシンボル画像Ｇ３、Ｇ５について、それぞれ対応する写真データＳ３、Ｓ５に基づいて、低解像度画像データを生成し、これと併せて低解像度画像データに基づく低解像度画像をスクリーンＳＣに表示させる制御コマンドを生成して所定の記憶領域に記憶し、次いで、次に優先度の高いシンボル画像Ｇ２、Ｇ６について、それぞれ対応する写真データＳ２、Ｓ６に基づいて、低解像度画像データを生成し、これと併せて低解像度画像データに基づく低解像度画像をスクリーンＳＣに表示させる制御コマンドを生成して所定の記録領域に記憶する。
このように本実施形態では、指定シンボル画像との位置関係によって規定される優先度、換言すれば、次に指定される可能性が高いシンボル画像ほどその度合が高くなる優先度の高い順に、順次、低解像度画像データ、及び、低解像度画像の表示を指示する制御コマンドが生成される。このような構成のため、ＣＰＵの処理能力は有限であり、ワークエリア容量、及び、使用するメモリーの容量も有限であるため、同時に行うことができる低解像度画像データの生成処理には限りがあり、また、同時に記憶できる低解像度画像データの数にも限りがあることを考慮して、効率的、効果的な順番で低解像度画像データを生成することができる。さらに、シンボル画像が指定されたときに、指定されたシンボル画像について、低解像度画像データ等が生成されている可能性を高めることができる。
【００２８】
さて、ステップＳＡ５の処理と併せて、また、ステップＳＡ５の処理が完了した後も継続して、表示制御部２１４は、サブ領域Ａ２において、指定シンボル画像を除くいずれかのシンボル画像が指定されたか否かを監視する（ステップＳＡ６）。いずれかのシンボル画像が指定された場合（ステップＳＡ６：ＹＥＳ）、表示制御部２１４は、指定されたシンボル画像について、低解像度画像データ、及び、対応する制御コマンドが生成されているか否かを判別する（ステップＳＡ７）。低解像度画像データ等が生成されていない場合（ステップＳＡ７：ＮＯ）、表示制御部２１４は、ステップＳＡ４１と同様の処理を行ってメイン領域Ａ１に指定されたシンボル画像に対応する写真画像を表示すると共に、ステップＳＡ４２と同様の処理を行ってプロジェクター１１に対してスクリーンＳＣに写真画像を表示させる（ステップＳＡ８）。その後、表示制御部２１４は、処理手順をステップＳＡ５へ戻す。
一方、ステップＳＡ７において指定されたシンボル画像について低解像度画像データ等が生成されていると判別した場合（ステップＳＡ７：ＹＥＳ）、表示制御部２１４は、対応する低解像度画像データに基づいてメイン領域Ａ１に低解像度画像を表示する（ステップＳＡ９１）。詳述すると、表示制御部２１４は、低解像度画像データを低解像度画像用バッファー２１６Ｂに展開する。低解像度画像用バッファー２１６Ｂとは、説明の便宜のため、メイン領域Ａ１に低解像度画像を表示する場合に、表示すべき低解像度画像の低解像度画像データが展開されるバッファーを概念的に表現したものである。次いで、表示制御部２１４は、表示部２１６を制御して、低解像度画像用バッファー２１６Ｂに展開されたイメージデータに基づいて、表示パネル２２に係る各種駆動回路を駆動して、メイン領域Ａ１に低解像度画像を表示する。
ここで、低解像度画像データには、既に低解像度画像用バッファー２１６Ｂに展開するための画像処理が施されており、かつ、低解像度画像データは写真データと比較して低解像度であり、表示に係る各種処理の負荷が小さい。従って、シンボル画像が指示された後、当該シンボル画像に対応する低解像度画像データに基づいて低解像度画像をメイン領域Ａ１に表示し終わるまでに要する時間は、写真データに基づいて写真画像をメイン領域Ａ１に表示する場合と比較して、短い。このため、シンボル画像が指定された後、迅速に、当該シンボル画像に対応する低解像度画像をメイン領域Ａ１に表示することが可能である。
【００２９】
ステップＳＡ９１の処理と並行して、表示制御部２１４は、ステップＳＡ５で生成した制御コマンドであって、指定されたシンボル画像に対応する制御コマンド（指定されたシンボル画像に対応する低解像度画像をスクリーンＳＣに表示することを指示する制御コマンド）をプロジェクター１１に送信する（ステップＳＡ９２）。当該制御コマンドを受信したプロジェクター１１は、低解像度画像をスクリーンＳＣに投射する（ステップＳＢ２）。
ここで、制御コマンドはステップＳＡ５で既に生成されていたものである。また、制御コマンドに含まれる低解像度画像データは、写真データと比較してサイズが小さく、従って、低解像度画像データを含む制御コマンドの送信に要する時間は、写真データを含む制御コマンドの送信に要する時間と比較して短い。従って、シンボル画像が指定された後、当該シンボル画像に対応する低解像度画像がスクリーンＳＣに表示し終わるまでに要する時間は、写真画像をスクリーンＳＣに表示する場合と比較して、短い。このため、シンボル画像が指定された後、迅速に、当該シンボル画像に対応する低解像度画像をスクリーンＳＣに表示することが可能である。
図５（Ｃ）の（Ｃ１）は、ステップＳＡ６においてサブ領域Ａ２のシンボル画像Ｇ５が指定された後、ステップＳＡ９１の処理が完了した時点での専用ユーザーインターフェイスＵＩの状態を示す図である。この図において、メイン領域Ａ１には、シンボル画像Ｇ５に対応する低解像度画像が表示されている。また、（Ｃ２）は、ステップＳＡ６においてサブ領域Ａ２のシンボル画像Ｇ５が指定された後、ステップＳＡ９２の処理が完了した時点でのスクリーンＳＣの状態を示す図である。この図において、スクリーンＳＣには、シンボル画像Ｇ５に対応する低解像度画像が表示されている。
上述したように、ステップＳＡ６において、サブ領域Ａ２のシンボル画像Ｇ５が指定された場合、写真画像を表示する場合と比較して短い時間の間に、専用ユーザーインターフェイスＵＩの状態が図５（Ｃ１）に示すものとなり、かつ、スクリーンＳＣの状態が図５（Ｃ２）に示すものとなる。このため、シンボル画像Ｇ５を指定したユーザーは、シンボル画像Ｇ５を指定した、という操作が確実に反映されていることを迅速に認識できる。さらに、シンボル画像Ｇ５を指定した後、メイン領域Ａ１及びスクリーンＳＣにおいてしばらくの間指定前の画像が表示され続けたり、また、不完全な画像が表示されたりしないため、違和感を抱きにくい。
【００３０】
上記ステップＳＡ９１、及び、ステップＳＡ９２の処理と並行して、表示制御部２１４は、ステップＳＡ６で指定されたシンボル画像に対応する写真画像のメイン領域Ａ１への表示の準備に係る処理を実行する（ステップＳＡ１０１）。具体的には、表示制御部２１４は、対応する写真データの取得、必要な画像処理、及び、元画像用バッファー２１６Ａへの展開、及び、付随する処理を実行する。そして、ステップＳＡ１０１の準備が完了し、メイン領域Ａ１に写真画像を表示できる状態となると、表示制御部２１４は、元画像用バッファー２１６Ａに展開した写真データに基づいて、メイン領域Ａ１に写真画像を表示することにより、メイン領域Ａ１における表示を低解像度画像から写真画像へと切り替える（ステップＳＡ１１１）。このように、シンボル画像が指定された場合、メイン領域Ａ１に対応する低解像度画像が迅速に表示され、写真画像が表示可能となった時点で低解像度画像から写真画像へと切り替わるため、メイン領域Ａ１にしばらくの間指定前の画像が表示され続けたりすることを抑制しつつ、解像度が低い画像から高い画像へと段階的に表示が切り替わることとなり、よりユーザーが感じる違和感を低減できる。
【００３１】
また、上記ステップＳＡ９１、及び、ステップＳＡ９２の処理と並行して、表示制御部２１４は、ステップＳＡ６で指定されたシンボル画像に対応する写真画像のスクリーンＳＣへの表示の準備に係る処理を実行する（ステップＳＡ１０２）。具体的には、表示制御部２１４は、対応する写真データの取得、及び、対応する写真データに基づいてスクリーンＳＣに写真画像を表示することを指示する制御コマンドの生成を実行する。そして、ステップＳＡ１０２の準備が完了すると、表示制御部２１４は、生成した制御コマンドをプロジェクター１１に送信することにより、スクリーンＳＣにおける表示を低解像度画像から写真画像へと切り替える（ステップＳＡ１１２）。当該制御コマンドを受信したプロジェクター１１は、制御コマンドに基づいて、写真画像をスクリーンＳＣに表示することにより（ステップＳＢ３）、スクリーンＳＣにおける表示を低解像度画像から写真画像へと切り替える。このように、シンボル画像が指定された場合、スクリーンＳＣに対応する低解像度画像が迅速に表示され、写真画像が表示可能となった時点で低解像度画像から写真画像へと切り替わるため、スクリーンＳＣにしばらくの間指定前の画像が表示され続けたりすることを抑制しつつ、解像度が低い画像から高い画像へと段階的に表示が切り替わることとなり、よりユーザーが感じる違和感を低減できる。
【００３２】
図５（Ｄ）の（Ｄ１）は、ステップＳＡ６においてサブ領域Ａ２のシンボル画像Ｇ５が指定された後、ステップＳＡ１１１の処理が完了した時点での専用ユーザーインターフェイスＵＩの状態を示す図である。この図において、メイン領域Ａ１には、シンボル画像Ｇ５に対応する写真画像が表示されている。また、（Ｄ２）は、ステップＳＡ６においてサブ領域Ａ２のシンボル画像Ｇ５が指定された後、ステップＳＡ１１２の処理が完了した時点でのスクリーンＳＣの状態を示す図である。この図において、スクリーンＳＣには、シンボル画像Ｇ５に対応する写真画像が表示されている。
このように、メイン領域Ａ１の画像と、スクリーンＳＣの画像との同一性が維持されつつ、各表示領域における画像が、低解像度画像から写真画像へと低解像度のものから高解像度のものへと段階的に切り替わるため、シンボル画像が指定されてから、写真画像の表示が完了するまでの間に発生するタイムラグに起因した違和感を効果的に抑制可能である。
ステップＳＡ１１１、及び、ステップＳＡ１１２の処理後、表示制御部２１４は、処理手順をステップＳＡ５へ戻す。
【００３３】
次に、本実施形態に係る携帯端末２１の優先度についてより詳細に説明する。
上述したように、本実施形態では、サブ領域Ａ２におけるシンボル画像の並び順は、各写真データに付された名前順や、各写真データに紐付けられた日付順、各写真データのサイズ順等、ユーザーが任意に設定可能である。
そして、表示制御部２１４は、シンボル画像が指定されている状況下で、サブ領域Ａ２におけるシンボル画像の並び替えが行われた場合（配置が変更された場合）、どのような規則で並べ替えが行われたかにかかわらず、並べ替え後の指定シンボル画像との位置関係に基づいて、各シンボル画像の優先度を設定する。ここで、シンボル画像の配置の態様が変更された場合であっても、ユーザーは、複数のシンボル画像を連続して指定していく場合、無作為に指定するのではなく、位置的な関連性の高いものから順次指示する傾向があるため、上記構成により、効率的、かつ、効果的に低解像度画像を生成可能である。
また、図５の例では、サブ領域Ａ２において、シンボル画像は、横一列に並んで配置されていたが、本実施形態では、図６に示すように、縦横に２次元的に並べて配置することも可能な構成となっている。そして、図６のような場合であっても、表示制御部２１４は、指定されているシンボル画像との位置関係に基づいて、各シンボル画像の優先度を設定する。例えば、図６において、符号Ｘ１のシンボル画像が指定されている場合は、表示制御部２１４は、符号Ｙ２のシンボル画像の優先度よりも、符号Ｙ１のシンボル画像の優先度を高く設定する。なお、指定シンボル画像の上方向や、斜め方向にあるシンボル画像よりも、右方向にあるシンボル画像の優先度を高く設定するといった精密な設定できることは勿論であり、当該精密な設定により、指定シンボル画像に対する物理的な離間距離が遠いシンボル画像の方が、近いシンボル画像よりも、その優先度が高く設定された製品があっても、本願発明の設計変更にすぎず、本願発明の技術的範囲内に属する。
【００３４】
以上説明したように、本実施形態に係る携帯端末２１は、シンボル画像を表示パネル２２に複数配置し、指定された前記シンボル画像の元となった画像をメイン領域Ａ１やスクリーンＳＣに表示するものである。そして、表示制御部２１４は、指定シンボル画像以外のシンボル画像について、サブ領域Ａ２における指定シンボル画像との位置関係によって規定される優先度が高い順に、低解像度画像データ及び所定の制御コマンドを生成し、低解像度画像データ及び所定の制御コマンドを生成したシンボル画像が指定された場合、生成した低解像度画像データに基づく低解像度画像をメイン領域Ａ１及びスクリーンＳＣに表示すると共に、対応する写真画像の表示の準備を開始し、写真画像の表示の準備が完了したときにメイン領域Ａ１及びスクリーンＳＣにおける表示を低解像度画像から写真画像へと切り替える。
この構成によれば、シンボル画像が指定された場合、当該シンボル画像に対応する低解像度画像が表示され、さらに低解像度画像から元画像へと段階的に表示が切り替わることとなり、当該シンボル画像の指定後に指定前の画像がしばらくの間表示され続けたり、また、不完全な画像が表示されたりすることに起因した違和感を低減できる。さらに、上記構成によれば、ユーザーがシンボル画像を指定するときの傾向を利用して、低解像度画像を記憶するメモリーの容量が有限であること、及び、ＣＰＵの処理能力が有限であることを踏まえて、効率的、かつ、効果的に低解像度画像データを生成可能である。
【００３５】
また、本実施形態に係る専用ユーザーインターフェイスＵＩには、メイン領域Ａ１と、シンボル画像が表示されるサブ領域Ａ２とが形成されている。そして、表示制御部２１４は、指定シンボル画像以外のシンボル画像について、サブ領域Ａ２における指定シンボル画像との位置関係によって規定される優先度が高い順に、低解像度画像データを生成し、低解像度画像データを生成したシンボル画像が指定された場合、生成した低解像度画像データに基づく低解像度画像をメイン領域Ａ１に表示すると共に、対応する写真画像の表示の準備を開始し、写真画像の表示の準備が完了したときにメイン領域Ａ１における表示を低解像度画像から写真画像へと切り替える。
ここで、近年、専用ユーザーインターフェイスＵＩのような表示態様を有するユーザーインターフェイスは、広く普及している。そして、上記構成によれば、このような広く普及したユーザーインターフェイスにおいて、シンボル画像の指定後に指定前の画像がメイン領域Ａ１にしばらくの間表示され続けたり、また、メイン領域Ａ１に不完全な画像が表示されたりすることに起因した違和感を低減できる。
【００３６】
また、本実施形態に係る表示制御部２１４は、スクリーンＳＣに表示中の指定シンボル画像以外のシンボル画像について、優先度が高い順に低解像度画像をスクリーンＳＣに表示することを指示する制御コマンドを生成し、当該制御コマンドを生成したシンボル画像が指定された場合、生成した制御コマンドをプロジェクター１１に出力してスクリーンＳＣに低解像度画像を表示させると共に、対応する写真画像の表示の準備を開始し、写真画像の表示の準備が完了したときにスクリーンＳＣにおける表示を低解像度画像から写真画像へと切り替えさせる。
この構成によれば、表示システム１０のように、携帯端末２１によってプロジェクター１１を制御するシステムについて、シンボル画像が指定された場合、スクリーンＳＣに低解像度画像が表示され、さらに低解像度画像から写真画像へと段階的に表示が切り替わることとなり、当該シンボル画像の指定後に指定前の画像がスクリーンにしばらくの間表示され続けたり、また、スクリーンに不完全な画像が表示されたりすることに起因した違和感を低減できる。
【００３７】
また、本実施形態に係る表示制御部２１４は、表示パネル２２におけるシンボル画像の配置の態様に変更があった場合、指定シンボル画像以外のシンボル画像について、配置が変更された後における指定シンボル画像との位置関係によって規定される優先度が高い順に、低解像度画像データを生成する。
ここで、シンボル画像の配置の態様が変更された場合であっても、ユーザーは、複数のシンボル画像を連続して指定していく場合、無作為に指定するのではなく、位置的な関連性の高いものから順次指示する傾向があるため、上記構成により、効率的、かつ、効果的に低解像度画像を生成可能である。
【００３８】
また、本実施形態では、シンボル画像は、サムネイル画像であり、１のシンボル画像に係る低解像度画像の解像度は、当該１のシンボル画像の解像度よりも高く、当該１のシンボル画像に対応する写真画像よりも低い。
この構成によれば、低解像度画像は、所定の表示領域に表示されるものであるため、一定の解像度を有している必要がある一方、処理効率、及び、メモリーの有効活用の観点からできるだけ解像度が小さい方が良いことを踏まえ、低解像度画像データの解像度を適切な値とすることが可能である。
【００３９】
なお、上述した実施の形態は、あくまでも本発明の一態様を示すものであり、本発明の範囲内で任意に変形および応用が可能である。
例えば、上述した実施形態では、低解像度画像データは、サムネイル画像としてシンボル画像よりもその解像度が高く、写真画像よりもその解像度が低い画像データであったが、サムネイル画像としてのシンボル画像そのものであってもよい。また、シンボル画像は、サムネイル画像であったが、アイコン等であっても良い。すなわち、元画像を表すものであれば何でも良い。また、本実施形態では、写真に係る画像をスクリーンＳＣやメイン領域Ａ１に表示する場合を例としたが、表示される画像は、写真に係るものでなくてもよいことは言うまでもない。また、サブ領域Ａ２におけるシンボル画像の配列について、図５、及び、図６を例として具体的に説明したが、シンボル画像の配列の態様は、説明したものに限らない。すなわち、本発明を適用すれば、シンボル画像の配列の態様にかかわらず、適切に優先度が設定され、最適な順番で低解像度画像データが生成される。
また例えば、上記実施形態では、光変調装置として、ＲＧＢの各色に対応した３枚の透過型または反射型の液晶ライトバルブを用いた構成を例に挙げて説明したが、本発明はこれに限定されるものではなく、例えば、１枚の液晶ライトバルブとカラーホイールを組み合わせた方式、ＲＧＢ各色の色光を変調する３枚のデジタルミラーデバイス（ＤＭＤ）を用いた方式、１枚のデジタルミラーデバイスとカラーホイールを組み合わせた方式等により構成してもよい。ここで、表示部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
また、図２、図３に示した各機能部は、プロジェクター１１及び携帯端末２１の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００４０】
１０…表示システム、１１…プロジェクター、２１…携帯端末（表示制御装置）、２２…表示パネル、２３…タッチスクリーン、２７Ａ…アプリケーションプログラム（プログラム）、２１１…制御部、２１４…表示制御部（表示制御手段）、Ａ１…メイン領域（所定の表示領域）、Ａ２…サブ領域、ＳＣ…スクリーン（所定の表示領域）、Ｇ１〜Ｇ７…シンボル画像。
【図１】
2013200340.tif 000003
【図２】
2013200340.tif 000004
【図３】
2013200340.tif 000005
【図４】
2013200340.tif 000006
【図５】
2013200340.tif 000007
【図６】
2013200340.tif 000008